(57)【要約】種々の例示的な実施形態において、液体混合物を生成するためのシステムおよび方法が提供される。該システムは、  複数の粘性液体を保持するように設計された複数のリザーバと、  複数のリザーバからの少なくとも２つの液体を混合するように設計された混合装置であって、スタティックミキサーを含む少なくとも１つの混合装置と、  リザーバからの液体を混合装置に配給するように設計された複数の蠕動ポンプと、  少なくとも１つのモバイル装置上のコンピュータアプリから少なくとも２つの液体の混合比に関する少なくとも１つのユーザ固有情報を受信するように設計された電子システムと、を備え、  該システムは、複数の蠕動ポンプおよびスタティックミキサーを用いて、予め定めた混合比に従って少なくとも２つの液体を混合するように設計される。
2020533117.tif 000002
【特許請求の範囲】
【請求項１】
液体混合物を製造するためのシステムであって、
複数の粘性液体を保持するように設計された複数のリザーバと、
複数のリザーバからの少なくとも２つの液体を混合するように設計された混合装置であって、スタティックミキサーを含む少なくとも１つの混合装置と、
リザーバからの液体を混合装置に配給するように設計された複数の蠕動ポンプと、
少なくとも１つのモバイル装置上のコンピュータアプリから、該少なくとも２つの液体の混合比に関する少なくとも１つのユーザ固有情報を受信するように設計された電子システムとを備え、
該システムは、複数の蠕動ポンプおよびスタティックミキサーを用いて、予め定めた混合比に従って該少なくとも２つの液体を混合するように設計される、システム。
【請求項２】
液体の吸引距離が、少なくとも１つのリザーバと、関連付けられた蠕動ポンプとの間で、予め定めた最小可能範囲内になるように設定される、請求項１に記載のシステム。
【請求項３】
スタティックミキサーはさらに、約３０ｍｍから約９０ｍｍ、好ましくは約３５から７０ｍｍの範囲の長さを有するように設計される、請求項１または２に記載のシステム。
【請求項４】
混合装置はさらに、混合チューブを備えるように設計され、
混合チューブは、少なくとも４つの内部エレメントが互いにオフセットし、及び／又は、内部エレメントが互いに１８０度捩れており、及び／又は、内部エレメントは、前側の内部エレメントに向かって９０度オフセットして位置決めされた、スタティックミキサーを受け入れるように設計される、請求項１〜３に記載のシステム。
【請求項５】
混合装置はさらに、複数の層状非ニュートン流体を混合するように設計され、及び／又は、層状非ニュートン流体は、シャンプー、コンディショナー、ディープコンディショナーまたは染毛剤の少なくとも１つの原料を含む、請求項１〜４に記載のシステム。
【請求項６】
電子システムとモバイル装置との間の通信のための無線データ伝送接続を備える、請求項１〜５に記載のシステム。
【請求項７】
情報は、美容トリートメント剤の個々の混合比に関する情報の少なくとも１つの項目を含み、及び／又は、美容ヘアトリートメント剤に適した少なくとも１つの蠕動ポンプの搬送手段に関する情報を含み、及び／又は、この情報は外部データベースに保存される、請求項１〜６に記載のシステム。
【請求項８】
該システムはさらに、データベース内の少なくとも１つの前回保存したユーザ固有情報に基づいて、液体の混合比を決定するように設計される、請求項１〜７に記載のシステム。
【請求項９】
複数の蠕動ポンプはさらに、等しい長さの流体ラインを用いて混合装置に接続されるように設計される、請求項１〜８に記載のシステム。
【請求項１０】
混合装置はさらに、クリーニング動作を実施するように設計され、クリーニング動作では、リザーバからの少量の液体がスタティックミキサーを洗浄する、請求項１〜９に記載のシステム。
【請求項１１】
混合比の計算が、リモートサーバまたはクラウドにおいて実行され、混合比に関するユーザ固有情報は、サーバからまたはクラウドからコンピュータアプリに送信される、請求項１〜１０に記載のシステム。
【請求項１２】
該システムは、少なくとも１つのユーザ固有情報に基づいて、個々のヘアトリートメント剤が少なくとも１人の顧客について再注文できる、請求項１〜１１に記載のシステム。
【請求項１３】
液体混合物を製造するための方法であって、
データベースに保存された少なくとも１つのユーザ固有情報に基づいて、複数の液体のうち少なくとも２つの液体の個々の混合比を決定するステップと、
複数のポンプ装置の決定された個々の混合比に基づいて、複数のリザーバから複数の液体のうちの少なくとも２つの液体を混合装置に輸送するステップと、
複数のポンプ装置およびスタティックミキサーを用いて、複数の液体のうちの少なくとも２つの液体を混合し、該液体は、設定された所定の混合比に従って混合されるステップと、を含む方法。
【請求項１４】
個々の混合比を決定するステップは、
・モバイル装置上のコンピュータアプリを用いて、及び／又は、モバイル装置とデータベースとの間のデータ伝送接続を用いて、個々の混合比に関する、及び／又は、複数のポンプのうち混合に使用される少なくとも１つポンプの少なくとも１つの流量に関する情報をデータベースから受信することをさらに含む請求項１３に記載の方法。
【請求項１５】
混合比を決定するステップは、
・データベースに保存された前回決定したユーザ固有情報の少なくとも１つの項目に基づいて、個々の混合比を決定することをさらに含み、及び／又は、該情報は、シャンプー、コンディショナー、ディープコンディショナーまたは染毛剤の組成に関する情報の少なくとも１つの項目を含む、請求項１３または１４に記載の方法。
【発明の詳細な説明】
【技術分野】
【０００１】
本発明は、液体混合物を製造するシステムおよび方法に関する。
【背景技術】
【０００２】
日常生活の多くの分野において、顧客またはユーザの個々の要求とニーズに対処する個別設計されたプログラムへの継続的なトレンドがある。これは、例えば、栄養やヘルスケアの分野および個別設計された化粧品の分野でもそうである。これにより、美容トリートメント製品の消費者またはユーザは、例えば、自分の髪、皮膚、歯などの個々のニーズに個別に調整された個別のトリートメント指示および美容トリートメント製品を受領でき、特に高い有効性が得られる。
【０００３】
未熟な美容師は、損傷した髪を取り扱う経験がないことがよくある。例えば、若い美容師が、美容院においてどのヘアトリートメント製品がどの顧客に適しているか、例えば、シャンプー、コンディショナー、ヘアトリートメントまたは染毛剤(hair dye)などの美容トリートメント製品をどの割合で最適に混合する必要があるかを見つけること、または髪の状態に最適に設計されたヘアトリートメント製品を選択することは困難である。従って、顧客の存在する髪の損傷の場合、美容師が顧客が望む髪の着色効果を達成することは特別な課題である。また、美容トリートメント製品を購入し、例えば、自宅で美容トリートメント製品を自分に塗布するユーザが、例えば、ヘアトリートメント製品またはヘア着色成分の正確な混合比を達成することは困難である。
【０００４】
例えば、顧客またはユーザの髪の損傷の程度が主観的に、例えば、視覚的に評価され、そしてしばしば美容師または顧客の主観的評価に基づいて、ユーザの髪の個々のニーズに最適ではない美容トリートメント製品が選択される。
【０００５】
例えば、シャンプー、コンディショナー、ヘアトリートメントまたは染毛剤の成分など、異なるヘアトリートメント製品を手作業で混合することは、美容師またはユーザ自身にとって課題である。個々の成分が予め定めた割合で正確に混合された場合にのみ、最適な混合結果が達成できる。例えば、ボトルから幾つかの化粧品成分を手作業で混合した場合、一成分の一部が過剰にボトルに残り、混合物が一成分の一部を欠くことがある。
【０００６】
従って、美容トリートメント製品の個々の混合比の決定は、ユーザにとって非常に重要であり、ユーザが、客観的または標準化された方法で自分の髪の状態を評価するための重要なパラメータになり得る。
【０００７】
また、異なる化粧品の混合を迅速に実施できることが望ましいことがある。複数の化粧品を同じ条件下で次々と迅速に混合することが望ましいこともある。これは、例えば、数人の顧客が、例えば、ヘアケアまたは染毛剤で次々と処理される美容院でもそうである。
【０００８】
また、少なくとも２つの成分を混合する場合、衛生基準を維持できることが望ましい。
【０００９】
ユーザの髪を処理する場合、ある美容ヘアトリートメント製品を用いた他のまたは同じユーザの髪の前回のトリートメントの際に収集または保管された情報または経験を、例えば、サーバまたはクラウド上の情報またはデータとして利用できることが望ましいことがある。
【００１０】
また、美容師またはユーザが、例えば、自宅から、または休暇中にでも、スマートフォンまたはタブレットなど、自分のスマートデバイスから美容相談システムにアクセスできることが適切なことがある。
【００１１】
顧客の個々のニーズに対応できるようにするために、インテリジェント装置を含む全体的なエコシステムが知られおり、これを用いて化粧品の分野での問題を検出（解析）することが可能であり、例えば、改善された髪または皮膚の状態及び／又は所望の目標の髪色など、所望の利益／利点（製品）の決定および提供までの相談システム（査定、評価）を提供する。
【００１２】
さらに、例えば、現場、即ち、美容院、美容サロン、または美容トリートメント製品の販売場所、例えば、ドラッグストアなどでスマートミキサーを用いて、美容トリートメント製品を個別に混合または調製することが適切であることがある。
【発明の概要】
【発明が解決しようとする課題】
【００１３】
従って、予め定めた場所で、標準化され客観的で移動可能な方法で、個々のボディトリートメント製品、特に皮膚またはヘアトリートメント製品をユーザに提供できるシステムについて需要がある。
【００１４】
メモリに保存された個々のデータ、または履歴データ、または他のユーザからのデータにアクセスできるように、個別設計の美容アドバイスシステムの一部であったり、及び／又は、個別設計の美容アドバイスシステムに接続されたシステムについての需要もある。
【００１５】
さらに、このシステムは、ユーザが、個々の状態、例えば、自分の髪や自分の肌などのために個別に美容トリートメント製品を混合したり、または個々の化粧品から美容トリートメント製品を生産したり、任意の所望の場所で入手したりすることを可能にする。
【課題を解決するための手段】
【００１６】
種々の例示的な実施形態において、液体混合物を生成するためのシステムが提供でき、該システムは、
複数の粘性液体を保持するように設計された複数のリザーバ(reservoir:貯蔵器)と、
複数のリザーバからの少なくとも２つの液体を混合するように設計された混合装置であって、スタティックミキサーを含む少なくとも１つの混合装置と、
リザーバからの液体を混合装置に配給するように設計された複数の蠕動（peristaltic: ぜんどう）ポンプと、
少なくとも１つのモバイル装置上のコンピュータアプリから、該少なくとも２つの液体の混合比に関する少なくとも１つのユーザ固有情報を受信するように設計された電子システムとを備え、
該システムは、複数の蠕動ポンプおよびスタティックミキサーを用いて、予め定めた混合比に従って該少なくとも２つの液体を混合するように設計される。
【００１７】
種々の例示的な実施形態において、複数のリザーバのうち少なくとも１つと、複数の蠕動ポンプのうち個々に関連付けられた蠕動ポンプとの間の液体の吸引距離が、予め定めた最小可能範囲内になるように設計されたシステムが提供できる。
【００１８】
種々の例示的な実施形態において、スタティックミキサーはさらに、約３０ｍｍから約９０ｍｍ、好ましくは約３５から７０ｍｍの範囲の長さを有するように設計されたシステムが提供できる。
【００１９】
種々の例示的な実施形態において、混合装置はさらに、混合チューブを備えるように設計され、混合チューブは、少なくとも４つの内部エレメントが互いにオフセットし、及び／又は、内部エレメントが互いに１８０度捩れており、及び／又は、内部エレメントは、前側または近接する内部エレメントに向かって９０度オフセットして設計された、スタティックミキサーを受け入れるように設計されるシステムが提供できる。
【００２０】
種々の例示的な実施形態において、混合装置はさらに、複数の層状非ニュートン流体を混合するように設計され、及び／又は、層状非ニュートン流体は、シャンプー、コンディショナー、ディープコンディショナーまたは染毛剤の少なくとも１つの原料を含むシステムが提供できる。
【００２１】
種々の例示的な実施形態において、電子システムとモバイル装置との間の通信のための無線データ伝送接続を備えるシステムが提供できる。
【００２２】
種々の例示的な実施形態において、ユーザ固有情報は、美容トリートメント剤の製造のための少なくとも２つの液体の個々の混合比に関する情報の少なくとも１つの項目を含み、及び／又は、美容トリートメント剤に適した複数の蠕動ポンプのうちの少なくとも１つの蠕動ポンプの配給レートに関する情報を含み、及び／又は、この情報は外部データベースに保存される、システムが提供できる。
【００２３】
種々の例示的な実施形態において、該システムはさらに、データベース内の少なくとも１つの前回保存したユーザ固有情報に基づいて、液体の混合比を決定するように設計される、システムが提供できる。
【００２４】
種々の例示的な実施形態において、複数の蠕動ポンプはさらに、等しい長さの流体ラインを用いて混合装置に接続されるように設計されたシステムが提供できる。
【００２５】
種々の例示的な実施形態において、混合装置はさらに、クリーニング動作を実施するように設計され、クリーニング動作では、リザーバからの少量の液体がスタティックミキサーを洗浄するシステムが提供できる。
【００２６】
種々の例示的な実施形態において、混合装置は、密封的に封止された混合装置であるシステムが提供できる。
【００２７】
種々の例示的な実施形態において、密封的に封止された混合装置は、混合装置の内部が混合装置の外部と接触しないこと、即ち、例えば、空気及び／又は不純物が外部から混合装置に入ることが回避できることを特徴とするシステムが提供できる。換言すると、混合装置は、種々の例示的な実施形態に従って、環境に対して封止してもよい。
【００２８】
種々の例示的な実施形態において、少なくとも１つのユーザ固有情報に基づいて少なくとも１人の顧客について個々のトリートメント剤が再注文できるように設計されたシステムが提供できる。顧客は、例えば、自宅からオンラインで再注文を起動できる。そして、顧客は、例えば、自分が顧客である美容師によって、個々のトリートメント剤を自分に送付してもらうことができ、あるいは顧客は、製造場所、例えば、美容院などで個々のトリートメント剤を入手することもできる。代替として、コンピュータアプリを用いて、製造場所、例えば、ヘアサロンにおいて再注文を起動でき、顧客は、個々のトリートメント製品を直ちに持ち帰ることができる。
【００２９】
種々の例示的な実施形態において、液体混合物を生成する方法も提供でき、該方法は、
データベースに保存された少なくとも１つのユーザ固有情報に基づいて、複数の液体のうち少なくとも２つの液体の個々の混合比を決定するステップと、
複数のポンプ装置を用いて、決定された個々の混合比に基づいて、複数のリザーバから複数の液体のうちの少なくとも２つの液体を混合装置に輸送するステップと、
複数のポンプ装置およびスタティックミキサーを用いて複数の液体を混合し、少なくとも２つの液体が、設定された所定の混合比に従って混合されるステップとを含む。
【００３０】
種々の例示的な実施形態において、個々の混合比を決定するステップは、モバイル装置上のコンピュータアプリを用いて、及び／又は、モバイル装置とデータベースとの間のデータ伝送接続を用いて、個々の混合比に関する、及び／又は、混合に使用される複数の蠕動ポンプのうちの１つの少なくとも１つの流量に関する情報をデータベースから受信することをさらに含む方法が提供できる。
【００３１】
種々の例示的な実施形態において、混合比の決定は、データベースに保存された少なくとも１つの前回決定したユーザ固有情報に基づいて、個々の混合比の決定をさらに含む方法が提供でき、及び／又は、該情報は、シャンプー、コンディショナー、ディープコンディショナーまたは染毛剤の組成に関する少なくとも１つの情報を含む。種々の例示的な実施形態は、個別設計されたディープコンディショナーまたはヘアトリートメント剤、例えば、シャンプー、コンディショナー及び／又は染毛剤などを美容師及び／又はユーザに正確に提供できるスマートミキサーを備えるシステムを提供できる。
【００３２】
種々の例示的な実施形態は、美容トリートメント製品の生産を簡略化でき、例えば、いろいろな原料製品を混合することによって、ユーザ向けに設計された美容トリートメント製品の生産を最適化できるシステムを示す。
【００３３】
種々の例示的な実施形態において、システムは、ヘアトリートメント製品に対する少なくとも１人のユーザの満足度を高めることができる。
【００３４】
種々の例示的な実施形態において、システムは、例えば、美容トリートメント製品の製造において少なくとも２つの液体を混合することによって、美容トリートメント製品の分野で衛生を高めることができる。
【００３５】
種々の例示的な実施形態において、システムは、美容相談システムまたは美容院などの営業時間からのシステムのユーザの独立に貢献できる。
【００３６】
種々の例示的な実施形態において、システムは、個々の美容トリートメント製品を迅速に、好ましくは１時間未満、より好ましくは１５分未満で生産および提供することを可能にするシステムを提供する。
【００３７】
種々の例示的な実施形態は、可動性であるシステムを提供する。
【００３８】
種々の例示的な実施形態は、いくつかの混合物を迅速かつ正確に次々と生産することを可能にするシステムを提供する。
【００３９】
種々の例示的な実施形態は、混合中に廃棄または喪失される液体の量を減少させることによって、美容トリートメント製品を混合する経済的効率を高めることを可能にするシステムを提供する。
【００４０】
種々の例示的な実施形態は、少なくとも２つの液体を混合する場合、より低い総電力消費を達成することを可能にするシステムを提供する。
【００４１】
種々の例示的な実施形態は、少数の複雑でないコンポーネントから構築されるシステムを提供する。
【００４２】
種々の例示的な実施形態は、そのコンポーネント、特に混合装置およびリザーバが容易に交換できるシステムを提供する。
【００４３】
種々の例示的な実施形態は、少なくとも２つの液体を混合することによって、美容トリートメント製品の生産において高度の精度を可能にできるシステムを提供する。
【００４４】
種々の例示的な実施形態は、個々のトリートメント製品の組成を、ユーザの現在の毛髪及び／又は皮膚の状態、特に内部毛髪損傷の程度に適応させることを可能にするシステムを提供する。
【００４５】
種々の例示的な実施形態は、美容師またはユーザによって容易に動作可能であるシステムを提供する。
【００４６】
種々の実施形態は、リンクを用いて美容製品相談の分野の全体的なエコシステムに接続され、または全体的なエコシステムを包含できるシステムを提供できる。
【００４７】
種々の実施形態は、システムが、全体的なエコシステムからの美容トリートメント製品の調製のために、ユーザ固有情報、または美容トリートメント製品の個別調整組成物、または少なくとも２つの液体の混合比を受信できるシステムを提供できる。
【００４８】
種々の実施形態は、センサ、例えば、顧客の毛髪または皮膚の特性を検出するためのカメラまたは赤外線センサをさらに備えるシステムを提供でき、それにより個々の顧客固有情報が収集でき、及び／又は、センサは、例えば、有線または無線のデータ伝送接続を用いて、全体的なエコシステムおよび液体混合物を生成するシステムと通信している。
【００４９】
種々の実施形態は、全体的なエコシステム内の複数のデータにアクセスできるシステムを提供できる。
【００５０】
種々の実施形態は、データベースを用いて、それぞれ美容トリートメント製品のための美容トリートメント製品の少なくとも１つの成分を含む複数の液体のうちの少なくとも２つの液体について少なくとも１つの個別設計された混合比を計算または決定できるシステムを提供できる。
【００５１】
種々の実施形態は、電子機器（エレクトロニクス）が、少なくとも１つのユーザ固有情報に基づいて、美容トリートメント剤の生産のための複数の液体のうちの少なくとも２つの液体についてユーザ固有の混合比を受信及び／又は決定できるシステムを提供できる。
【００５２】
種々の例示的な実施形態は、ケーシング（筐体）、電子機器、液体を貯蔵するための複数のリザーバ、例えば、バッグまたはカートリッジ、少なくとも１つの接続部またはパイプまたはライン、複数のポンプ、ユーザインタフェース、プリンタ、混合装置またはミキサ、液体の混合物を受けるための少なくとも１つの容器、廃棄物を受け取りまたは収集するための少なくとも１つの装置、例えば、廃棄物容器、データ伝送接続、例えば、有線または無線のデータ伝送接続、のうちの少なくとも１つを備えてもよいシステムを提供する。
【００５３】
種々の例示的な実施形態は、有線接続、例えば、イーサネット（登録商標）を用いて、または無線データ伝送接続、例えば、ブルートゥース（登録商標）、ＧＳＭ（登録商標）、ＺｉｇＢｅｅ（ジグビー）、Ｔｈｒｅａｄ、ＬＴＥ、３Ｇ、ＮＦＣ、またはＷｉ−Ｆｉなどを用いて、情報またはデータの接続または交換が実現できるシステムを提供する。
【００５４】
種々の例示的な実施形態は、ケーシングが金属ボディを含む場合、無線データ伝送のためのデバイス、例えば、ブルートゥースデバイスまたはＷｉ−Ｆｉデバイスなどが、ケーシング内に完全に一体化されないシステムを提供する。例えば、種々の例示的な実施形態において、ケーシングは、例えば、プラスチック製の窓を含むことができ、その下方に無線データ伝送のためのデバイスが設置される。
【００５５】
種々の例示的な実施形態は、システムのコンポーネントを含み、及び／又はブランドを表現できるケーシングが設置できるシステムを提供する。
【００５６】
種々の例示的な実施形態は、電子機器がシステムの電気コンポーネントを制御または調整することを意図したシステムを提供する。
【００５７】
種々の例示的な実施形態は、液体がそれぞれ美容トリートメント製品の少なくとも１つの成分を含み、液体は、成分のタイプまたは成分の濃度において互いに異なるシステムを提供する。
【００５８】
種々の例示的な実施形態において、混合後に既に混合された液体混合物が導入されるターゲット容器が、混合した液体混合物で充填される前に空であるシステムが提供できる。
【００５９】
種々の例示的な実施形態において、粘性液体、例えば、シャンプー、コンディショナー、ディープコンディショナーまたは染毛剤のための原料が処理できるシステムが提供できる。
【００６０】
種々の例示的な実施形態において、構造を変更する必要がなく、低い粘性の液体から粘性液体、例えば、クリームまで、異なる粘性を有する液体が処理できるシステムが提供できる。
【００６１】
種々の例示的な実施形態において、システム内で処理するために、液体がリザーバ内に大量に気密的に保存されるシステムが提供できる。
【００６２】
種々の例示的な実施形態において、入れ子式ポンプシステムおよび予め定めたスタティック混合装置を用いて、液体の混合物が実現できるシステムが提供できる。
【００６３】
種々の例示的な実施形態において、追加の混合装置、例えば、液体を内部で混合するために回転する必要がある大型の混合容器を省略できるシステムが提供できる。
【００６４】
種々の例示的な実施形態において、システムが小さなスペースで実現できることを可能にするシステムが提供できる。
【００６５】
種々の例示的な実施形態において、可搬式混合システムとして実現できるシステムが提供できる。システムは１人で移動可能であることが好ましい。
【００６６】
種々の例示的な実施形態において、少ない可動部品からなるシステムが提供できる。種々の例示的な実施形態において、システムが、例えば、複数のポンプ、例えば、蠕動ポンプ内だけの可動コンポーネントを含むことができる。種々の例示的な実施形態において、美容トリートメント製品の製造のために液体を輸送し混合するための多数の複雑な機械コンポーネントなしで動作できるシステムが提供できる。
【００６７】
種々の例示的な実施形態において、高い信頼性が達成できるシステムが提供できる。種々の例示的な実施形態において、複数の蠕動ポンプのうちの１つの蠕動ポンプが容易に交換できるシステムが提供できる。
【００６８】
種々の例示的な実施形態において、複数の蠕動ポンプが、関連付けられたリザーバに直接位置決めできるシステムが提供できる。換言すると、種々の例示的な実施形態によれば、複数の蠕動ポンプと関連付けられたリザーバとの間に短い距離または短いチューブセクションが設けられる。種々の例示的な実施形態において、１つの蠕動ポンプまたは複数の蠕動ポンプの正確な流量を達成できるシステムが提供できる。
【００６９】
種々の例示的な実施形態において、液体を混合するために、アンバランス及び／又は振動を発生し得る急速回転式混合容器を省略することが可能になるシステムが提供できる。
【００７０】
種々の例示的な実施形態において、液体などの混合材料にダメージをもたらす可能性がある高速回転混合装置を省略できるシステムが提供できる。
【００７１】
種々の例示的な実施形態において、正確に作動するシステム及び／又は衛生的に作動するシステムが複数の蠕動ポンプを用いて提供でき、例えば、液体フローを制御するためのポンプバルブなどが省略できるシステムが提供できる。
【００７２】
種々の例示的な実施形態において、リザーバが、例えば、シャンプー、コンディショナー、ディープコンディショナーまたは染毛剤の成分を保持できるシステムが提供できる。
【００７３】
種々の例示的な実施形態において、少なくとも１つの接続部、例えば、チューブまたはホースが提供できるシステムが提供でき、チューブまたはホースは、例えば、少なくとも１つのリザーバの内部を混合装置に接続するように設計される。
【００７４】
種々の例示的な実施形態において、少なくとも１つの蠕動ポンプが、少なくとも１つのリザーバからの液体のフローを正確に搬送でき、チューブまたはホース内の少なくとも１つの液体のフローを駆動できるシステムが提供できる。
【００７５】
種々の例示的な実施形態において、少なくとも２つの大型蠕動ポンプおよび、少なくとも２つ、好ましくは少なくとも４つ、さらに好ましくは少なくとも８つの小型蠕動ポンプが設けられ、個々のリザーバから粘性液体を取り出し、その成分を混合装置に別個に供給するシステムが提供できる。種々の例示的な実施形態において、複数の蠕動ポンプが、例えば、２５個、４０個または１２８個の蠕動ポンプを備えてもよいシステムが提供できる。従って、リザーバおよび液体の数は、例えば、２５個、４０個または１２８個でもよい。
【００７６】
種々の例示的な実施形態において、少なくとも１つの大型蠕動ポンプが、約５０〜２００ｍｌ／分の範囲、好ましくは１００ｍｌ／分の流量を有することができるシステムが提供できる。
【００７７】
種々の例示的な実施形態において、少なくとも１つの小型蠕動ポンプが、約５〜２０ｍｌ／分の範囲、好ましくは１０ｍｌ／分の流量を有することができるシステムが提供できる。
【００７８】
種々の例示的な実施形態において、好ましい流量により、５％以下のエラー率または不正確さで複数の粘性液体の混合が可能になるシステムが提供できる。
【００７９】
種々の例示的な実施形態において、複数の蠕動ポンプが、同期的またはほぼ同時に、及び／又は予め定めた比率で等しい量で液体を配給できるシステムが提供できる。
【００８０】
種々の例示的な実施形態において、各蠕動ポンプは、それ自体のリザーバに接続されるシステムが提供できる。
【００８１】
種々の例示的な実施形態において、蠕動ポンプを用いて、滑らかな表面及び／又は良好な滅菌性(sterilizability)を備えた完全閉鎖システムを提供することを可能にするシステムが提供できる。
【００８２】
種々の例示的な実施形態において、蠕動ポンプ以外に追加のバルブを設置できないシステムが提供できる。
【００８３】
種々の例示的な実施形態において、高速回転プロペラブレードを備えたポンプと比較して、繊細な材料（液体）の穏やかな配給を提供できる蠕動ポンプを含むことができるシステムが提供できる。
【００８４】
種々の例示的な実施形態において、液体の極めて小さい及び／又は正確な流量を実現できる蠕動ポンプを含むことができるシステムが提供できる。
【００８５】
種々の例示的な実施形態において、他の容積式ポンプと比較して、滑らかで比較的衝撃なしの配給を提供する能力を備えた複数の蠕動ポンプを含むシステムが提供できる。
【００８６】
種々の例示的な実施形態において、２つの大型蠕動ポンプおよび８つの小型蠕動ポンプを備えたシステムが提供できる。
【００８７】
種々の例示的な実施形態において、複数の蠕動ポンプが、少なくとも１つの個々のリザーバから粘性液体を取り出し、例えば、これらを充填されるターゲットボトルに押し込むことができるシステムが提供できる。
【００８８】
種々の例示的な実施形態において、複数の蠕動ポンプは、電気的に制御または調整できるシステムが提供できる。
【００８９】
種々の例示的な実施形態において、正確なまたは精密なポンプ容積または供給量が、個々のポンプホイールの回転数によって実現できるシステムが提供できる。
【００９０】
種々の例示的な実施形態において、複数の蠕動ポンプを使用して非ニュートン流体を配給できるシステムが提供できる。
【００９１】
種々の例示的な実施形態において、複数の蠕動ポンプおよびスタティック混合装置を用いて、液体フローをポンプから遠くへスタティック混合装置に予め定めた動作圧力で押し込むように設計されたシステムが提供でき、ポンプによって吸引された粘性液体が、スタティック混合装置を経由したポンピングの際に薄い（低濃度）液体に変化し、混合プロセスの後にその元の粘性状態を回復する。
【００９２】
種々の例示的な実施形態は、機械とユーザの相互作用を促進するためにユーザインタフェースが設けられるシステムを提供する。
【００９３】
種々の例示的な実施形態は、少なくとも１つの制御ボタン及び／又は少なくとも１つのランプ、例えば、ＬＥＤを用いて、システムと美容師またはユーザとの間の相互作用のためのユーザインタフェースが設けられるシステムを提供する。
【００９４】
種々の例示的な実施形態において、システムはユーザインタフェースを有していない。
【００９５】
種々の例示的な実施形態は、ターゲット容器のために個別設計されたラベル（例えば、手作業または自動でターゲット容器に貼付できる）を印刷でき、及び／又は、ターゲット容器に直接に個別設計されたレタリングまたはグラフィックを印刷できるプリンタが提供できるシステムを提供する。種々の例示的な実施形態は、ケーシングがプリンタを包囲してもよく、またはプリンタはケーシングの内側に搭載されてもよいシステムを提供する。種々の例示的な実施形態は、少なくとも１つのプリンタが、少なくとも１つのターゲット容器について少なくとも１つのラベルを個別に印刷できるシステムを提供する。
【００９６】
種々の例示的な実施形態において、プリンタは、白黒ラベルを印刷するか、または白黒でターゲット容器に印刷する白黒プリンタ、あるいはカラーラベルを印刷するか、またはカラーでターゲット容器に印刷するカラープリンタを含んでもよい。
【００９７】
種々の例示的な実施形態は、製造された美容トリートメント製品を保持するためのターゲット容器が、例えば、４００ｍｌ〜６００ｍｌの範囲、例えば、５００ｍｌの容積を有するシステムを提供する。
【００９８】
種々の例示的な実施形態において、少なくとも１つの混合物を保持するためのターゲット容器が、約３０ｍｌ〜約７０ｍｌの範囲、好ましくは約４０ｍｌ〜６０ｍｌの範囲、さらにより好ましくは約５０ｍｌの容積を有してもよい。
【００９９】
種々の例示的な実施形態は、コンピュータアプリケーションまたはモバイルアプリケーション（以下、コンピュータアプリと称する）を用いて、例えば、液体の混合比に関する情報またはデータ、または美容トリートメント製品の組成に関する情報、または美容トリートメント製品が製造されたユーザに関する割り当て(assignment)情報と共に、ラベルまたはレタリングの個別設計デザインが、例えば、システムまたはプリンタに送信できるシステムを提供する。
【０１００】
種々の例示的な実施形態において、混合比の計算が、リモートサーバまたはクラウドにおいて実行され、混合比に関するユーザ固有情報は、サーバからまたはクラウドからコンピュータアプリに送信される。
【０１０１】
種々の例示的な実施形態は、美容トリートメント製品の個別設計された組成物の提供を実現できるシステムを提供する。換言すると、種々の例示的な実施形態によれば、特定のユーザの身体の少なくとも一部、例えば、ユーザの皮膚及び／又は毛髪について少なくとも１つの個別設計された美容トリートメント製品が提供できる。
【０１０２】
種々の例示的な実施形態は、ユーザ固有情報に基づいて、美容トリートメント剤、または美容トリートメント剤の個別の組成の生産のための液体の個別の混合比が実現できるシステムを提供する。
【０１０３】
種々の例示的な実施形態は、ユーザの毛髪の状態に基づいて、個別設計された美容ヘアトリートメント製品が生産できるシステムを提供する。
【０１０４】
種々の例示的な実施形態は、ユーザの皮膚状態に基づいて、個別設計された美容皮膚トリートメント製品が生産できるシステムを提供する。
【０１０５】
種々の例示的な実施形態は、例えば、プリンタを用いてラベル及び／又は、美容ヘアトリートメント剤を保持できるターゲット容器に印刷するために、ユーザのために個別に設計された美容トリートメント剤を実現できるシステムを提供する。
【０１０６】
種々の例示的な実施形態は、モバイル装置が、コンピュータアプリを用いて美容師及び／又はユーザに情報を表示でき、及び／又は、美容師またはユーザは、情報の少なくとも１つの項目を選択できるシステムを提供する。
【０１０７】
種々の例示的な実施形態は、複数の蠕動ポンプのみが可動機械コンポーネントを有することができるシステムを提供する。
【０１０８】
種々の例示的な実施形態は、コンピュータアプリを介してサーバまたはクラウドにアクセスできるシステムを提供する。種々の例示的な実施形態は、モバイル装置、例えば、スマートフォンまたはタブレットの上でコンピュータアプリが実行できるシステムを提供する。種々の例示的な実施形態は、コンピュータアプリは、既知のユーザデータに基づいてサーバ上またはクラウド内でデータベースクエリを実施できるシステムを提供する。種々の例示的な実施形態は、データベースクエリ中に知られたユーザ情報が、サー上バまたはクラウド内に保存されたユーザデータと比較でき、これに基づいて、混合比または組成に関するユーザ固有の情報またはデータが、サーバからまたはクラウドからモバイル端末に送信できるシステムを提供する。種々の例示的な実施形態は、モバイルコンピュータアプリは、例えば、前回実施された毛髪状態及び／又は毛髪ダメージ状態の測定、及び／又は毛髪色の測定の測定に基づいて、サーバ上またはクラウド内に保存できる組成物に関する情報を受信するシステムを提供する。
【０１０９】
種々の例示的な実施形態は、混合比または組成の計算が、サーバ上またはクラウド内で実施できるシステムを提供する。
【０１１０】
従って、種々の例示的な実施形態において、混合比または組成のローカル保存のための追加のローカルメモリを省略することが可能である。
【０１１１】
種々の例示的な実施形態は、コンピュータアプリはさらに、液体の組成または混合比に関する情報に基づいてラベル設計を提供するように構成できるシステムを提供する。種々の例示的な実施形態は、コンピュータアプリを用いて提供される無線データ伝送接続の少なくとも１つのステッカー媒体の設計が、電子システムまたは該システムを含むプリンタに送信できるシステムを提供する。
【０１１２】
種々の例示的な実施形態は、システムでの直接のユーザ入力なしで済まし、モバイル装置、例えば、スマートフォンまたはタブレットの上のコンピュータアプリを用いてシステムとの通信を実現できるシステムを提供する。
【０１１３】
種々の例示的な実施形態において、システム上で、ユーザインタフェース、例えば、ＧＵＩ、例えば、タッチスクリーンなしで行うことが可能である。種々の例示的な実施形態において、追加のコンポーネントなしで行うことが可能である。
【０１１４】
種々の例示的な実施形態は、スタティック混合装置及び／又は出口またはノズル及び／又はチャンバを含む混合装置を含んでもよいシステムを提供する。
【０１１５】
種々の例示的な実施形態において、個々の液体が、混合装置の出口において排出、混合またはブレンドできるシステムが提供できる。
【０１１６】
種々の例示的な実施形態において、混合装置が、例えば、リザーバからの異なる液体が出会う少なくとも１つの節点(nodal point)と、例えば、異なる液体が静的に混合される少なくとも１つのスタティック混合ノズルとを備えてもよいシステムが提供できる。
【０１１７】
種々の例示的な実施形態は、スタティックミキサーまたはパイプ設備が、例えば、予め定めた経路で少なくとも１つの液体を混合する複数の案内装置を含むシステムを提供する。
【０１１８】
種々の例示的な実施形態は、スタティックミキサーが、一列に設計された複数の内部エレメント、例えば、直線及び／又は湾曲ブレードを有するシステムを提供する。種々の例示的な実施形態は、ミキサーが混合チューブ内に位置決めでき、及び／又は、ミキサーが混合チューブ内に挿入でき、及び／又は、取り外し可能または交換可能であるシステムを提供する。種々の例示的な実施形態は、層状流体フローの変位がスタティックミキサーを用いて達成されるシステムを提供する。種々の例示的な実施形態は、複数のねじ回し（例えば、１８０度の右に１回のねじ回し、および、例えば、１８０度の左に１回のねじ回し）が互いに９０度だけ回転できるシステムを提供する。種々の例示的な実施形態は、スタティックミキサー内の内部エレメントが、流体フローを分割し、捩り、及び／又は再結合できるシステムを提供する。種々の例示的な実施形態は、スタティックミキサー内の内部エレメントが、少なくとも２つの液体からなる液体混合物を分割し、少なくとも４つの層が、内部エレメント後で、液体を一緒にした後に形成できるようにしたシステムを提供する。スタティックミキサーは、好ましくはステンレス鋼で製作される。
【０１１９】
種々の例示的な実施形態は、複数の蠕動ポンプが同期して動作でき、内容物全体をほぼ同時に、及び／又は混合装置などのターゲット装置と予め定めた関係で配給できるシステムを提供する。
【０１２０】
種々の例示的な実施形態は、節点がスタティック混合装置に接続できるシステムを提供する。
【０１２１】
種々の例示的な実施形態は、節点及び／又はスタティック混合装置を通過した後、複数のリザーバからの液体が混合できるシステムを提供する。
【０１２２】
種々の例示的な実施形態は、節点が複数のポートを含んでもよいシステムを提供する。ポートは、例えば、パイプまたはホースに接続されるために設けられ、これらは、他端において少なくとも１つの蠕動ポンプに接続できる。
【０１２３】
種々の例示的な実施形態は、混合装置は、液体を混合するためのスタティック混合装置であり、フロー運動だけで少なくとも２つの液体の混合を引き起こすことができるシステムを提供する。
【０１２４】
種々の例示的な実施形態は、スタティック混合装置が、パイプまたはライン内のフロー影響内部エレメントからなり得るシステムを提供し、フロー影響内部エレメントは、材料フローを交互に分割し、そして材料フローを再結合し、こうして物質または液体の混合を達成する。種々の例示的な実施形態は、内部エレメント（例えば、ブレードまたは液体案内エレメント）が、例えば、プラスチック及び／又は金属などの材料を含むことができるシステムを提供する。好ましくは、内部エレメントはステンレス鋼で製作される。
【０１２５】
種々の例示的な実施形態は、連続動作の少なくとも１つを可能にし、可動コンポーネントを有さず、低い投資及び／又は運転コストを有し、実質的にメンテナンスフリーであり、任意の材料で製造でき、サイズが小型化でき、別個のクリーニングコストがかからず、設置された状態でリンス処理可能であり、混合される液体が環境に接触することがなく、無菌で衛生的であり、モータなどの駆動装置を含むことがなく、大型の混合タンクを必要とせず、僅かな摩耗しか示さず、電気接続部がなく、特に技術的素人によって迅速に設置および取り外しが可能である、混合装置を提供する。
【０１２６】
種々の例示的な実施形態において、いくつかの液体の少なくとも１つの混合物の充填から生じ得る廃棄物を収集または受けるためのデバイスを含んでもよいシステムが提供できる。
【０１２７】
種々の例示的な実施形態において、余分な流体が、廃棄物を収集または受けるためのデバイスに置くことができるシステムが提供できる。種々の例示的な実施形態において、余分な流体が、廃棄物を収集または受けるためのデバイスに置くことができるシステムが提供できる。種々の例示的な実施形態において、装置はさらに、レベル量をユーザに知らせるために、センサ、例えば、レベルセンサ、例えば、静電容量センサ、超音波センサ、電気機械駆動式フロートを備えてもよい。種々の例示的な実施形態において、装置は、混合装置から漏れる可能性のある廃棄物、例えば、余分な部分などを受けることができるシステムが提供できる。
【０１２８】
種々の例示的な実施形態において、廃棄装置が、約２００ｍｌ〜約４００ｍｌの範囲、好ましくは約３００ｍｌの容積を有することができるシステムが提供できる。
【０１２９】
種々の例示的な実施形態は、ミキサーのクリーニング動作が、別個または追加の洗浄剤を必要とせず、クリーニング用のリザーバからの少なくとも１つの液体を使用できるシステムを提供し、この液体は、個々の美容トリートメント製品の生産のための基剤として使用できる。
【０１３０】
種々の例示的な実施形態は、例えば、約１ｍｌ〜５ｍｌの範囲、例えば、約２ｍｌ〜４の範囲、好ましくは約３ｍｌの範囲の基剤液体、例えば、シャンプー基剤液体を用いたクリーニングプロセスが、ユーザ用に個別に作成された混合比、またはユーザ用に個別に作成された組成物が、ミキサー内で前回使用された液体によって汚染しないようにするのに充分となり得るシステムを提供する。
【０１３１】
基剤は、調製される美容トリートメント組成物の総重量に基づいて、少なくとも６０重量％、より好ましくは８０重量％であることが好ましい。また、このシステムで製造できる全ての美容トリートメント製品について基剤が同一であることも好ましい。
【０１３２】
種々の例示的な実施形態は、ユーザのために個別に作成されたトリートメント剤が、別個の洗浄剤によって汚染されないことを可能にするシステムを提供する。
【０１３３】
種々の例示的な実施形態において、液体混合物を充填するための少なくとも１つの容器が、混合装置の下方、好ましくは混合装置の出口の下方に正確に位置決めできるシステムが提供できる。種々の例示的な実施形態において、少なくとも１つのターゲット容器のための少なくとも１つの保持装置が設けられるシステムが提供できる。種々の例示的な実施形態において、保持装置が、少なくとも１つのターゲット容器が保持装置を用いて確実に保持できるように、混合装置または混合装置のノズルの下方に位置決めできる。種々の例示的な実施形態において、ノズルとターゲット容器の上側エッジとの間の最小距離が、好ましくは１０ｍｍ未満、好ましくは９ｍｍ以下の値を有してもよいシステムが提供できる。
【０１３４】
種々の例示的な実施形態において、ノズルまたはノズル先端とシステムのケーシングの前方外壁との間の距離は、少なくとも６０ｍｍ、好ましくは少なくとも４０ｍｍでもよい。種々の例示的な実施形態において、システムはさらに、センサまたは近接スイッチを備えることができ、これはターゲット容器の背後に設置できるシステムが提供できる。近接スイッチは、ターゲット容器が保持装置内にあるか否かを、例えば、電気信号を用いて電子システムまたは混合装置に通知できる。種々の例示的な実施形態において、近接センサとターゲット容器との間の最大距離は、約３０ｍｍ、好ましくは２０ｍｍにできる。種々の例示的な実施形態において、近接スイッチは、容量性センサ及び／又は誘導性センサ及び／又は光学センサ及び／又は超音波センサ及び／又は磁気センサを有することができる。
【０１３５】
種々の例示的な実施形態において、気密にできる少なくとも１つのリザーバを有するシステムが提供できる。種々の例示的な実施形態において、少なくとも１つの液体が、少なくとも１つの気密リザーバに充填できるシステムが提供できる。種々の例示的な実施形態において、美容師またはユーザが、もしリザーバが液体を全くまたは少量しか含まない場合、少なくとも１つの気密リザーバを新しい気密リザーバと交換できる。
【０１３６】
種々の例示的な実施形態において、全てのリザーバを気密にできることを可能にするシステムが提供できる。種々の例示的な実施形態において、リザーバが気密バッグの形態であるシステムが提供できる。種々の例示的な実施形態において、例えば、ボトルまたはカートリッジと比較して、リザーバを空にするための追加の圧力が必要でないシステムが提供できる。原理上は、システムには、ボトルまたはカートリッジの形態のリザーバを設けてもよい。しかしながら、これはあまり好ましくない。種々の例示的な実施形態において、液体がリザーバから漏出することを回避できる衛生システムが提供できる。
【０１３７】
種々の例示的な実施形態において、複数の蠕動ポンプが、少なくとも１つの個々の関連付けられたリザーバに直接接続されてもよく、あるいは、複数の蠕動ポンプと個々の関連付けられたリザーバとの間に小型のパイプ接続セクション（チューブ接続セクションまたはホース接続セクション）がそれぞれ装着されてもよいシステムが提供できる。
【０１３８】
種々の例示的な実施形態において、蠕動ポンプから少なくとも１つの混合装置への複数または全てのライン（パイプまたはホース）が、予め定めた長さ、好ましくは等しい長さを有してもよいシステムが提供できる。
【０１３９】
種々の例示的な実施形態において、リザーバから蠕動ポンプへの複数または全てのライン（チューブまたはホース）が予め定めた長さ、好ましくはゼロに等しい長さを有してもよいシステムが提供できる。換言すると、種々の例示的な実施形態によれば、複数のリザーバは、複数のリザーバと複数の蠕動ポンプの間にパイプ（チューブまたはホース）が無いように、関連付けられた蠕動ポンプに直接設置できる。
【０１４０】
種々の例示的な実施形態において、リザーバと、ほぼ同じサイズまたは予め定めた長さの蠕動ポンプとの間に小型のホース接続セクションが設けられるシステムが提供できる。種々の例示的な実施形態において、蠕動ポンプによって搬送される液体の量を正確に決定することが可能なシステムが提供できる。
【０１４１】
種々の例示的な実施形態において、リザーバは、ベースに対して垂直に配置でき、及び／又は、開口部を下向きにして配置できるシステムが提供できる。
【０１４２】
種々の例示的な実施形態において、保存容器は、美容師及び／又はユーザによって容易に交換できることが達成できる。
【０１４３】
種々の例示的な実施形態において、リザーバの容積は、柔軟に設計できる。種々の例示的な実施形態において、例えば、複数のリザーバのうち２つのリザーバは、例えば、約１リットル〜３リットルの範囲、例えば、約２リットルの容積をそれぞれ含むことができ、複数のリザーバのうち８つのリザーバは、例えば、約３００ミリリットル〜７００ミリリットルの範囲、例えば、約５００ミリリットルの容積をそれぞれ含むことができる。大型のリザーバの各々は、好ましくは、製造される美容トリートメント製品の基剤として機能する液体を含む。小型のリザーバは、好ましくは、製造される美容トリートメント組成物のための活性成分、着色剤、及び／又は香料を含む液体をそれぞれ含む。
【０１４４】
種々の例示的な実施形態において、少なくとも１つのターゲット容器を検出するための近接センサ、廃棄物量を検出するためのデバイス内の充填レベルを検出するための少なくとも１つの近接センサ、少なくとも１つのスタート＆一時停止スイッチ、例えば、赤色黄色青色発光ダイオード（ＲＧＢ  ＬＥＤ）を含むボタン、少なくとも１つの停止スイッチ、例えば、赤色ＬＥＤを含むボタン、例えば、９個のＬＥＤを含むプログレスバーまたはプログレスインジケータデバイス、少なくとも１個のＲＧＢ  ＬＥＤターゲット容器リング、リセットボタン、他のボタン、２個のＬＥＤをそれぞれ含む１０個の交換可能なリザーバパネル、からなる少なくとも１つの少なくとも１つの電子システムが設けられるシステムが提供できる。
【０１４５】
種々の例示的な実施形態において、電子機器または該電子機器を含む領域が、修理目的などのために容易にアクセス可能であるシステムが提供できる。種々の例示的な実施形態において、システム全体を分解する必要がないことが達成できる。
【０１４６】
種々の例示的な実施形態において、混合装置を用いて個別設計の美容トリートメント製品、例えば、シャンプー、ディープコンディショナー、コンディショナー、及び／又は髪着色剤(shade)などの複数の異なるバリエーション、例えば、約１２８個を提供できるシステムが提供できる。
【０１４７】
種々の例示的な実施形態において、少なくとも１つの光学フィードバック、例えば、システムの少なくとも１つのコンポーネントまたはシステムのサブコンポーネントの少なくとも１つの状態を示す少なくとも１つのＬＥＤを有するシステムが提供できる。
【０１４８】
種々の例示的な実施形態において、少なくとも１つのモバイル装置、例えば、スマートフォンまたはタブレットまたはサーバとの、例えば、無線または有線のデータ伝送接続を含むシステムが提供できる。
【０１４９】
種々の例示的な実施形態において、データ交換のためのデータ伝送接続を介して、リモートサーバと通信できるシステムが提供できる。
【０１５０】
種々の例示的な実施形態において、美容トリートメント剤、特にヘアトリートメント剤の組成が、モバイルコンピュータアプリを用いて、無線データ伝送接続、例えば、Ｗｉ−Ｆｉ接続、ブルートゥース接続、ＮＦＣ接続、スレッド接続、ＺｉｇＢｅｅ接続などを介して送信できるシステムが提供できる。
【０１５１】
種々の例示的な実施形態において、モバイルコンピュータアプリが、無線データ伝送接続を介して受信した、美容トリートメント剤の少なくとも２つの液体の組成または混合比をシステムに送信できるシステムが提供できる。
【０１５２】
種々の例示的な実施形態において、混合装置、及び／又は装置管理または装置マネジメントの少なくとも１つの構成が、サーバ及び／又はクラウドを用いて実現できるシステムが提供できる。
【０１５３】
上述した構成および利点は、そのシステムおよび手順を参照する。
【図面の簡単な説明】
【０１５４】
本発明の例示的な実施形態を図に示し、詳細に後述する。
【０１５５】
【図１】種々の例示的な実施形態に係る、液体混合物を生産するためのシステムの概略図である。
【図２】種々の例示的な実施形態に係る、液体混合物を生産するためのシステムの概略図である。
【図３ａ】種々の例示的な実施形態に係る混合装置の概略断面図である。
【図３ｂ】種々の例示的な実施形態に係る混合装置の概略等角図である。
【図４】種々の例示的な実施形態に係る、液体混合物を生産するための方法を概略的に示すフローチャートである。
【発明を実施するための形態】
【０１５６】
以下の詳細な説明において、本願の一部を形成する添付図面を参照し、例示として、本発明が実現できる特定の例示的な実施形態を示す。
【０１５７】
以下の詳細な説明において、本出願の一部を形成し且つ本発明を実施することができる特定の実施形態が例示として示されている添付の図面を参照する。この点に関して、「上方(above)」、「下方(below)」、「前方(ahead)」、「後方(behind)」、「前側(front)」、「後側(rear)」などの方向の用語は、説明された図の向きに関して使用される。実施形態の構成エレメントは、複数の異なる向きに配置されることができるため、方向の用語は、例示として使用されており、決して限定的なものではない。本発明の保護範囲から逸脱することなく、他の例示的な実施形態が使用でき、構造的または論理的な変更を加えることができることは言うまでもない。
【０１５８】
さらに、特に明記しない限り、ここで記載した種々の例示的な実施形態の特徴は互いに組み合わせてもよいことは言うまでもない。
【０１５９】
従って、下記の詳細な説明は、限定的な意味で理解されるべきではなく、本発明の保護の範囲は添付の請求項によって定義される。
【０１６０】
この文脈において、「色」は、色の濃淡(shade)（スペクトル色印象。色調(hue)とも称され、「実際の色」と考えられるものを意味すると理解できる）、色強度（即ち、例えば、ニュートラルグレーと比較して色がどの強度で見えるか。これは、彩度、色彩度、精彩、色度または色深度とも称される）、および明度（即ち、色がどの明るさまたは暗さで見えるか）の組合せを意味すると理解できる。
【０１６１】
種々の例示的な実施形態において、色情報は、例えば、既知の色空間、例えばＬ＊ａ＊ｂ＊色空間（Ｌ＊は色の明るさ、ａ＊は色の緑成分および赤成分、ｂ＊は色の青成分および黄成分を示す）、赤緑青の色成分によるＲＧＢ色空間、シアン、マゼンタ、黄および黒の色成分によるＣＭＹＫ色空間、または任意の他の色空間でパラメータ化できる。
【０１６２】
この文脈において、用語「色の濃淡」は、例えば、２次元色空間（例えば、Ｌ＊ａ＊ｂ＊システムのａ＊ｂ＊）内の点、または色成分の比率（ＲＧＢ色空間またはＣＭＹＫ色空間など）としてパラメータ化される方法に関係なく、色値または色のスペクトル色印象を意味すると理解できる。
【０１６３】
種々の例示的な実施形態において、色情報（皮膚色情報および画像色情報）が由来する色空間は、決定されまたは表現された色が、色が決定されまたは表現される媒体（例えばスクリーン、プリンタ、スキャナ、人間の眼など）から独立しているようにできる。色空間は、例えば、Ｌ＊ａ＊ｂ＊色空間にでき、色情報、色の濃淡は、例えば、ａ＊およびｂ＊を用いてパラメータ化できる。
【０１６４】
ここで言及するスマートフォンの場合、文脈がそれ以外を示していない限り、これは、すべての類似したタイプの可搬式データ処理装置、即ち、スマートフォン、タブレット、ラップトップなどの代表として理解されるべきであり、同じことがスマートフォンカメラなどに同様に適用する。
【０１６５】
この文脈において、コンピュータアプリが、モバイル装置またはコンピュータ用のアプリケーションソフトウェア、またはモバイルオペレーティングシステムとして定義できる。コンピュータアプリが、ユーザにデジタル情報を提供でき、ユーザインタフェース、例えば、コンピュータアプリとのユーザ対話用のグラフィカルユーザインタフェースなどを含んでもよい。
【０１６６】
この文脈において、蠕動ポンプまたは圧送(squeeze)ポンプまたはホースポンプは、液体を圧送または移送するための容積式ポンプであると理解され得る。蠕動ポンプの場合、チューブの外部機械変形により、圧送される液体がチューブを通過するように付勢される。動作時に、チューブは、ポンプヘッドケーシング上に支持されるとともに、チューブは、ロータ上で回転する少なくとも１つのローラまたはシューによって反対側からクランプされ（ラジアルアクションシステム）、またはカムシャフトによって移動される（リニアまたは水平アクションシステム）。この運動により、クランプポイントがホースに沿って移動し、これにより圧送される液体は前方に移動できる。蠕動ポンプの場合、チューブ材料の弾性が吸引圧力を生成できる。
【０１６７】
種々の例示的な実施形態において、蠕動ポンプが設置でき、これは、大型ポンプヘッド、圧力ローラの大きい直径、および非対称チューブ経路を有することができ、これにより、非対称チューブ経路は、有効ヘッド直径をさらに増加できる。
【０１６８】
種々の例示的な実施形態において、チューブの寿命が実質的に延長でき、その結果、流量が長時間一定に維持でき、チューブ内の液体フローの脈動が実質的に低減できる。
【０１６９】
この文脈において、層流は、その挙動が液体の内部摩擦によって決定される単純なフローとして定義できる。換言すると、パイプ内の層状液体フローは、流体が無限の数の無限に薄い同心中空円筒に分割できる場合に存在する。例えば、シャンプー、コンディショナー、ディープコンディショナー、染毛剤などの粘性流体などの層流では、流体の層が互いに円滑に滑る。液体粒子の加速度および速度は、２つのパラメータで説明できる。内部摩擦は、液体中の体積ごとに作用する力であり、下記式で記述される。
Ｆｒ＝η×Δｖ
ここで、ηは液体の粘性、ｖは液体粒子の速度である。第２パラメータは圧力勾配である。
Ｒｐ＝−ｄｐ／ｄｘ
ここで、ｐは圧力である。層流では、著しい混合プロセスは生じない。
【０１７０】
この文脈において、用語「粘性(viscosity)」は、液体の粘性または粘り強さ(tenacity)を説明するために使用できる。粘性が高いほど、液体はより粘るようになり、流動性が低下する。粘性が低いほど、液体はより薄くなり、流動性が大きくなり、そのため液体は同じ条件下でより速く流れることができる。
【０１７１】
この文脈において、用語「粘性液体」は、粘性が少なくとも２０００ＭＰａｓ（メガパスカル秒）、好ましくは５０００〜２００００ＭＰａｓの範囲にある液体を意味すると理解してもよい。製造される美容トリートメント製品、特にシャンプーまたはコンディショナーの粘性は、好ましくは少なくとも２０００ＭＰａｓ（メガパスカル秒）、好ましくは５０００〜２００００ＭＰａｓの粘性を有する。粘性は、ブルックフィールドＤＶ  ２＋、スピンドル５、２０ｒｐｍ、２０℃、６０秒の条件下で決定される。
【０１７２】
この文脈において、非ニュートン流体は、ニュートンの法則を用いて変形挙動が記述できない異常に粘性のある流体であると理解できる。非ニュートン流体の粘性は、特に剪断レート及び／又は負荷時間とともに変化する。
【０１７３】
非ニュートン流体は、負荷とともに変化する粘性を有することがある。これは、分子構造または相成分の相互作用に起因しており、静止状態の場合とは異なり、例えば、剪断など、強い動きの場合に異なる動作を示す。混合または攪拌に必要なパワーは、非ニュートン流体の重力速度に比例して増加できないが、指数関数になることがある。
【０１７４】
換言すると、非ニュートン流体は、本来、粘性のある粘稠性（コンシステンシー）を有してもよいが、力が作用した場合、力の印加中に粘性が低下することがある。液体に印加された力が液体から除去された場合、元の粘性状態に戻る。
【０１７５】
これに関連して、用語「チキソトロピー(thixotropy)」は、ゲル、シャンプー、コンディショナー、染毛剤、クリームなどの粘性または高粘性の液体が、混合または攪拌または揺動された場合、より流動的または粘性が低くなり、そして再び固まる現象を記述するために使用される。この場合、チキソトロピー系は、非ニュートン液体であることがある。これらの材料系は、外力が印加された場合にその流動性を変化させることによって特徴付けられる。
【０１７６】
図１は、種々の例示的な実施形態に係る、液体混合物を生成するためのシステムの概略図１００である。
【０１７７】
種々の実施形態によれば、システム１が、データ伝送接続４を介して少なくとも１つのモバイル装置２に接続できる。モバイル装置２は、例えば、スマートフォン、タブレットまたはラップトップでもよい。種々の実施形態によれば、モバイル装置２は、インストールされたコンピュータアプリを有することができる。種々の実施形態によれば、コンピュータアプリは、データベース３とシステム１との間でデータまたは情報を交換することを目的としてもよい。データ伝送接続は、有線接続、例えば、イーサネット接続、または無線接続、例えば、ＷＬＡＮ（ワイヤレスローカルエリアネットワーク）接続、Ｗｉ−Ｆｉ接続、ＧＳＭ（モバイル通信用グローバルシステム）接続、ＮＦＣ（近距離無線通信）接続、ブルートゥース接続、ＺｉｇＢｅｅ（ジグビー）接続、Ｔｈｒｅａｄ接続でもよい。こうして、種々の例示的な実施形態において、システム１は、Ｗｉ−Ｆｉ接続を介して、モバイル装置２としてスマートフォンまたはタブレットに接続して、データまたは情報を交換できる。しかしながら、ここで言及しているデータ伝送接続は、言及した接続に限定されず、データまたは情報を送信するのに適した他の接続が実現できる。
【０１７８】
システム１は、種々の例示的な実施形態に従って、少なくとも１つのデータベース３を含んでもよい。データベース３は、種々の実施形態に従って、メモリまたはサーバまたはクラウドまたはコンピュータネットワークでもよく、例えば、コンピュータユニットを含みことができる。種々の実施形態によれば、データベース３は、データ伝送接続５を介してモバイル装置３に接続できる。データ伝送接続５は、有線接続、例えば、イーサネット接続、または、無線接続、例えば、ＷＬＡＮ接続、Ｗｉ−Ｆｉ接続、ＧＳＭ接続、ＮＦＣ接続、ブルートゥース接続、ＺｉｇＢｅｅ接続またはＴｈｒｅａｄ接続などでもよい。しかしながら、ここで言及する接続は、言及したデータ伝送接続に限定されず、データまたは情報の送信に適した他のデータ伝送接続（ネットワークプロトコル）を実装してもよい。
【０１７９】
種々の例示的な実施形態において、システム１は、データベース３に接続できる。種々の例示的な実施形態によれば、データ伝送接続は、有線接続、例えば、ＬＡＮまたはイーサネット接続、または、無線接続、例えば、ＷＬＡＮ接続、Ｗｉ−Ｆｉ接続、ＧＳＭ接続、ＮＦＣ接続、ブルートゥース接続、ＺｉｇＢｅｅ接続またはＴｈｒｅａｄ接続などでもよい。
【０１８０】
種々の例示的な実施形態において、システム１は、少なくともデータベース３を含んでもよい。種々の例示的な実施形態において、システム１は、いくつかの、例えば、２つ、３つまたは４つのデータベースを含んでもよい。
【０１８１】
種々の例示的な実施形態において、データベース３は、美容トリートメント製品の少なくとも１つの混合比に関する情報を含んでもよい。種々の例示的な実施形態において、データベース３は、液体混合物、例えば、シャンプー、コンディショナー、ディープコンディショナー及び／又は染毛剤などの生産または製造のための混合比または組成物に関する量情報が保存できる少なくとも１つのデータセットを含んでもよい。さらに、種々の例示的な実施形態において、ユーザ固有情報は、データベース３に保管してもよい。種々の例示的な実施形態において、ユーザ固有情報は、例えば、髪色及び／又は目標髪色に関する情報、及び／又は髪ダメージの程度に関する情報を含んでもよい。種々の例示的な実施形態において、蠕動ポンプを用いて達成すべき流量に関して、情報の少なくとも１つの項目を保存してもよい。種々の例示的な実施形態において、動作圧力値、例えば、設定圧力値、または動作圧力、またはポンプを用いて達成すべき動作圧力に関して、情報の少なくとも１つの項目を保存してもよい。種々の例示的な実施形態において、異なる原料液体の混合物を生成するために、データベース３内の各原料液体について、少なくとも１つのポンプ配給圧力を保存または保管してもよい。種々の例示的な実施形態において、データベース３に保存された少なくとも１つの蠕動ポンプの少なくとも１つの流量を提供及び／又は読み出してもよい。種々の例示的な実施形態において、混合比または組成物と共に蠕動ポンプについての少なくとも１つの流量を保存し、及び／又はメモリから読み出してもよい。種々の例示的な実施形態において、ユーザの髪の髪色及び／又はユーザの髪へのダメージの程度及び／又はユーザの目標髪色が、データベース３の記録として保存してもよい。種々の例示的な実施形態において、センサ、例えば、分光光度計または比色計、またはカメラなどによって検出されるユーザの髪の髪色状態、及び／又はセンサ、例えば、赤外線分光計などによって検出されるユーザの髪の髪へのダメージの程度の解析、および評価の後、液体の予め定めた混合比を計算してもよく、あるいは適切な混合比がデータベース３から選択してもよい。種々の例示的な実施形態において、データベース３に格納されたデータに基づいて、美容トリートメント製品の調製のために少なくとも２つの液体の個々の混合比が、ユーザの髪の状態に対して最適に設計され、モバイル装置２を用いてデータ伝送接続４およびデータ伝送接続５を介してシステム１に提供できる。
【０１８２】
種々の例示的な実施形態において、更なるユーザ固有のデータまたは情報、例えば、流量が、モバイル装置２にインストールされたコンピュータアプリを用いて入力してもよく、これは、複数の液体を混合することを意図した少なくとも１つのポンプを動作させるために使用できる。種々の例示的な実施形態において、更なるユーザ固有のデータまたは情報は、データ伝送接続４を介してシステムに転送してもよい。
【０１８３】
種々の例示的な実施形態において、データベース３内の少なくとも１つのデータレコードは、データ伝送接続６を介してシステム１に送信してもよく、またはデータベース３は、データ伝送接続６、例えば、Ｗｉ−Ｆｉ接続またはＷＬＡＮ接続を介してシステム１に接続してもよい。しかしながら、ここで言及するデータ伝送接続は、言及したデータ伝送接続に限定されず、データまたは情報の送信に適した他のデータ伝送接続が実行可能である。
【０１８４】
図２は、種々の例示的な実施形態に係る液体混合物を生成するためのシステム１の概略図２００を示す。
【０１８５】
システム１は、種々の例示的な実施形態に従って、下記の構成エレメント、即ち、ケーシング７、少なくとも１つの電子システム８、少なくとも１つのリザーバ９、少なくとも１つのポンプ１０、少なくとも１つのユーザインタフェース１１、少なくとも１つのプリンタ１２、少なくとも１つの混合装置１３、少なくとも１つのターゲット容器１４、少なくとも１つの廃棄装置、少なくとも１つの接続部１６（チューブまたはホース）の少なくとも１つを含んでもよい。
【０１８６】
システム１の種々の例示的な実施形態において、ケーシング７が、システム１のコンポーネントを収容するために設置できる。種々の例示的な実施形態において、ケーシング７は、ブランドを表現することを意図してもよい。システム１の種々の例示的な実施形態において、ケーシングは、電子機器、液体を保存するための複数のリザーバ、少なくとも１つの接続部（チューブまたはホース）、複数の蠕動ポンプ、ユーザインタフェース、プリンタ、混合装置、液体混合物を受け取るための少なくとも１つのターゲット容器、廃棄物を受けまたは収集するための少なくとも１つの装置（例えば、廃棄物容器）、データ伝送接続（例えば、有線または無線接続）から選択される少なくとも１つのコンポーネントを含んでもよい。
【０１８７】
種々の例示的な実施形態において、システム１は、システム１の少なくとも１つの電気コンポーネントを制御または調整できる少なくとも１つの電子システム８または電子コンポーネントを備えてもよい。
【０１８８】
種々の例示的な実施形態において、システム１は、液体を保持できる少なくとも１つのリザーバ９を備えてもよい。
【０１８９】
種々の例示的な実施形態において、少なくとも１つのリザーバは、粘性液体、例えば、美容ヘアトリートメント製品、例えば、シャンプー、コンディショナー、ディープコンディショナー、染毛剤などの生産のための液体を保持または保存できる。
【０１９０】
種々の例示的な実施形態において、システム１は、少なくとも１つの接続部１６（チューブまたはホース）を備えてもよく、この接続部１６は、例えば、少なくとも１つのリザーバ９の内部を混合装置の内部に接続し、及び／又は少なくとも１つの液体を搬送するように設計してもよい。
【０１９１】
種々の例示的な実施形態において、システム１は、例えば、少なくとも１つのリザーバから及び／又は混合装置に液体を引き込み、及び／又は輸送、及び／又は配給するための複数の蠕動ポンプ１０を備えてもよい。種々の例示的な実施形態において、複数の蠕動ポンプは、電子的に動作可能である。種々の例示的な実施形態において、ポンプホイールの回転数が、ポンプの正確な流量に対応できる。換言すると、正確な流量が、ポンプホイールの予め定めた回転数によって決定または設定できる。
【０１９２】
種々の例示的な実施形態において、システム１は、少なくとも１つのユーザインタフェース１１を備えてもよく、これは、機械とユーザの相互作用を簡略化できる。
【０１９３】
種々の例示的な実施形態において、システム１は、ターゲット容器用の個別設計ラベルを印刷し、及び／又はターゲット容器の表面上に個別設計レタリング及び／又はグラフィックスを印刷できる少なくとも１つのプリンタ１２を備えてもよい。
【０１９４】
種々の例示的な実施形態において、システム１は、少なくとも１つの混合装置１３を備えてもよい。種々の例示的な実施形態において、混合装置１３は、複数の粘性液体を混合し、及び／又は粘性液体の混合物を生成または分配できる。
【０１９５】
種々の例示的な実施形態において、システム１は、少なくとも１つのターゲット容器１４を備えてもよい。種々の例示的な実施形態において、少なくとも１つのターゲット容器１４は、少なくとも１つの液体、例えば、混合装置１３によって混合された液体を保持できる。
【０１９６】
種々の例示的な実施形態において、システム１は、少なくとも１つの廃棄装置１５、または廃棄物、例えば、洗浄剤及び／又は混合装置１３を用いて混合された液体を収集または受け取るための装置を備えてもよい。
【０１９７】
種々の例示的な実施形態において、システム１は、コンピュータアプリがインストールされるモバイル装置３を含んでもよい。種々の例示的な実施形態において、美容師及び／又は他のユーザが、モバイル装置３、例えばスマートフォンまたはタブレットを操作できる。美容師及び／又は他のユーザは、コンピュータアプリを使用して、データベース３からユーザ、例えば、美容院の顧客を選択できる。コンピュータアプリは、上述したような種々の実施形態に従って、データベース３に接続できる。種々の例示的な実施形態において、美容師及び／又は顧客及び／又はユーザの決定に基づいて、個々の美容トリートメント製品、例えば、シャンプー、コンディショナー、ディープコンディショナーまたは染毛剤が、コンピュータアプリを用いて選択できる。コンピュータアプリを用いて、選択された美容トリートメント製品に基づいた要求が、データベース３に送信できる。データベース３において、完成した液体混合物についての液体の混合比、及び／又はターゲット容器１４の印刷のための個々の設計（レイアウト）が、個々の美容トリートメント製品に割り当てられたメモリ値として保存できる。さらに、種々の実施形態によれば、ポンプ用の追加の動作圧力がメモリ値として保存できる。選択された個々の美容トリートメント剤に基づいて、所望の美容トリートメント剤の個々の混合比、及び／又は少なくとも１つの蠕動ポンプ、好ましくは複数の蠕動ポンプ（これらは複数の液体の混合物を生産することを目的とする）の予め定めた流量が提供できる。種々の例示的な実施形態において、コンピュータアプリは、既に上述したように、データ伝送接続５を介して、美容トリートメント剤の生産のために、個々の顧客に対して個別に編集された液体の混合比を受信できる。
【０１９８】
種々の実施形態によれば、コンピュータアプリは、データベース３から受信したデータをデータ伝送接続４を介してシステム１に転送し、及び／又は、上述したように、データがシステム１に転送できる前に、複数のターゲット容器１４を印刷するためのレイアウトを選択することによって、データをさらに変更またはそれを適合できる。
【０１９９】
種々の例示的な実施形態において、システム１は、例えば、モバイル装置２との無線ＷＬＡＮ接続を確立し、及び／又はモバイル装置２からデータを受信できる電子機器８を備えてもよい。種々の例示的な実施形態において、電子機器８は、無線モジュール及び／又は複数のポンプ１０及び／又はユーザインタフェース１１及び／又はプリンタ１２及び／又は廃棄物装置１５のレベルインジケータ、ターゲット容器１４の正しいまたは誤った位置決めに関する光学フィードバックを動作させることを目的としてもよい。
【０２００】
種々の例示的な実施形態において、システム１は、例えば、商用供給電圧などの供給電圧によって動作可能であり、またはバッテリまたは充電式バッテリによって動作可能である。
【０２０１】
種々の例示的な実施形態において、システム１は、データによって送信されるポンプホイールの流量または速度に基づいて、複数の蠕動ポンプ１０を正確に制御または調整できる。種々の例示的な実施形態において、複数の蠕動ポンプは、複数のリザーバから液体を引き込み、それらを実質的に等しい長さのホースを介して混合装置１３に輸送できる。
【０２０２】
種々の例示的な実施形態において、リザーバ９は、蠕動ポンプ１０に直接位置決めできる。種々の例示的な実施形態において、美容トリートメント製品のための液体の正確な配給を達成することが可能である。
【０２０３】
図３ａは、種々の例示的な実施形態に係る混合装置１３の概略断面図３００を示す。
【０２０４】
図３ｂは、種々の例示的な実施形態に係る混合装置の概略等角図を示す。
【０２０５】
混合装置１３は、種々の例示的な実施形態に従って、いくつかの部品で構築できる。混合装置１３は、種々の例示的な実施形態に従って、収集装置１８、例えば、収集チャンバ、および混合チューブ２１を有することができる。
【０２０６】
種々の例示的な実施形態において、収集装置１８は、複数のチャネル１９を有することができ、複数のチャネル１９はチャンバ２０内で出会うことができる。種々の例示的な実施形態において、チャネル１９は、例えば、増加したフロー速度でチャネル１９を通過する少なくとも１つの液体を受け取るように設計できる。種々の例示的な実施形態において、チャンバ２０は、約４．２ｍｍの直径及び／又は約０．２ｃｍ３の容積を有してもよい。種々の例示的な実施形態において、複数のチャネル１９は、約１ｍｍの直径を有することができる。種々の例示的な実施形態において、少なくとも１つのチャネル１９は、アダプタ１７ａ〜１７ｄを介してポート、例えば、パイプまたはホースに接続してもよい。々の例示的な実施形態において、複数のアダプタ１７ａ〜１７ｄは、図３に示すように、ねじ接続、例えば、Ｍ５ねじなどを用いて収集装置１８に接続してもよい。
【０２０７】
種々の例示的な実施形態において、収集装置１８は、混合チューブ２１に接続できる。種々の例示的な実施形態において、収集装置１８と混合チューブ２１との間の接続が、ねじ接続によって実現でき、例えば、図３に示すように、混合チューブ２１は、収集装置１８にねじ込み可能である。種々の例示的な実施形態において、混合チューブ２１は、出口２２を有することができる。
【０２０８】
種々の例示的な実施形態において、ホース１６によって供給される液体は、アダプタ１７ａ〜１７ｅにおいて複数のポンプの予め定めた動作圧力または流量で供給でき、チャンバ２０内で複数のアダプタ１７ａ〜１７ｅおよび収集装置１８内の複数のチャネル１９によって組合せ可能である。種々の例示的な実施形態において、複数のリザーバ９からの組合せ液体または原料液体は、混合チューブ２１の中に供給できる。
【０２０９】
種々の例示的な実施形態において、例えば、アダプタ１７ｅによって、美容トリートメント製品の基礎原料を形成する液体が、美容トリートメント製品の調製のために供給でき、あるいは、美容トリートメント製品の基礎原料を形成する液体が、混合チューブ２１内のミキサーを洗浄するため、または混合チューブ２１の出口２２または混合装置１３による２つの混合操作の間を消毒または滅菌するために供給できる。
【０２１０】
混合チューブ２１は、種々の例示的な実施形態において、スタティックミキサーを備えてもよい。
【０２１１】
種々の例示的な実施形態において、スタティックミキサーは、少なくとも１つの内部エレメント、好ましくはフロー内部エレメントを備えてもよく、これは予め定めた特定の長さを有し、そのため可能な限り最良の混合比が達成できる。
【０２１２】
種々の例示的な実施形態において、スタティックミキサーは、混合ヘッド、少なくとも１つのアダプタまたはホースノズル、混合チューブ、ミキサーのうちの少なくとも１つを備えてもよい。
【０２１３】
種々の例示的な実施形態において、スタティックミキサーは、例えば、約３０ｍｍ〜９０ｍｍの範囲、好ましくは３５〜７０ｍｍの範囲の長さを備えてもよい。スタティックミキサーの長さは、混合すべき液体の量、粘性、および数にも依存する。
【０２１４】
種々の例示的な実施形態において、スタティックミキサーはＫｅｎｉｃｓ（ケニックス）型ミキサーとして実現してもよい。種々の例示的な実施形態において、スタティックミキサーは、１８０度捩じられた複数のプレートを備えてもよい。種々の例示的な実施形態において、スタティックミキサーは、複数のコイルを備えてもよく、少なくとも１つのコイルは、前のものに対して９０度オフセットして位置決めされてもよく、及び／又は、コイルは、互いに反対の回転方向を備えてもよい。
【０２１５】
種々の例示的な実施形態において、スタティックミキサーは、例えば、内部エレメントが装着されたロッドの形態で螺旋(helix)を備えてもよく、それはミキサーとしてスタティックミキサーの内側の中央に位置決めされる。種々の例示的な実施形態において、スタティックミキサーは、少なくとも４つ、好ましくは７つの内部エレメントを備えてもよく、及び／又は、約４〜８ｍｍの内部エレメント長、及び／又は、約３５〜７０ｍｍの全長、及び／又は、約５〜１０ｍｍの内径、及び／又は、２．５ｍｍの出口ノズル直径、及び／又は、６ｍｍの出口ノズル長を備えてもよい。
【０２１６】
種々の例示的な実施形態において、混合チューブが、例えば、約２０ｍｍ〜５０ｍｍの範囲、例えば、約２５ｍｍ〜４５ｍｍの範囲、例えば、約４０．５ｍｍの長さを備えてもよく、及び／又は、混合チューブが、約８ｍｍの外径を備えてもよい。
【０２１７】
種々の例示的な実施形態において、混合チューブが、出口２２またはノズルを備えてもよく、例えば、約３ｍｍ〜１０ｍｍの範囲の出口２２の長さが、約６ｍｍの値を有してもよい。
【０２１８】
種々の例示的な実施形態において、出口２２の外径が、約５ｍｍの値を有してもよく、約２．５ｍｍの内径を有してもよい。
【０２１９】
種々の例示的な実施形態において、混合ヘッドが、約２０ｍｍの高さ、及び／又は、それぞれ約１０ｍｍの高さを備えた２つの相互接続コンポーネントを有してもよい。
【０２２０】
種々の例示的な実施形態において、混合ヘッドが、複数のポート（入口）を備えてもよく、ノズルは、混合チューブの長手軸に対して垂直な平面上に位置決めできる。
【０２２１】
種々の例示的な実施形態において、混合ヘッドが、複数のポート（入口）を備えてもよく、ポート（入口）は、混合チューブの長手軸に対して垂直な異なる平面上に位置決めできる。
【０２２２】
種々の例示的な実施形態において、混合ヘッドが、複数のポート（入口）を備えてもよく、ポート（入口）は、混合ヘッドの中心の周りに点対称に設計してもよい。
【０２２３】
種々の例示的な実施形態において、混合ヘッドが、複数のポート（入口）を備えてもよく、少なくとも１つのポートは、１つの平面上に位置決めでき、少なくとも１つの他のポートは、第２の平面上に位置決めしてもよく、第１平面および第２平面は、互いにオフセットしてもよく、及び／又は、これらの平面は、混合チューブの中心軸に対して垂直でもよい。
【０２２４】
種々の例示的な実施形態において、混合ヘッドが、１つ、好ましくは幾つかの、例えば、２つまたは３つのメインポート（メイン入口）を備えてもよく、これらを経由して生産すべきトリートメント製品の基礎原料を形成する液体が混合ヘッド１８に入る。種々の例示的な実施形態において、混合ヘッドが、１つ、好ましくは幾つかの、例えば、４個、８個、２４個、４８個または１２４個の追加のポート（入口）を備えてもよく、これらを経由して生産すべきトリートメント製品の活性成分、染料及び／又は香料を含有する液体が混合ヘッドに入る。ポートは、約１〜４ｍｍの直径、及び／又は約４〜１０ｍｍの長さを有する。
【０２２５】
種々の例示的な実施形態において、幾つかの、例えば、２つまたは３つの混合ヘッドが、カスケード接続でき、即ち、前後に位置決めできる。
【０２２６】
種々の例示的な実施形態において、混合ヘッドが、幾つかの、例えば、１０個のアダプタ１７またはホースノズルを備えてもよく、及び／又は、ホースノズルは、Ｍ５×３ｍｍのねじ山を有する。種々の例示的な実施形態において、アダプタ１７は、ホースと連結される片側に、及び／又は、収集装置１８または混合ヘッドにＭ５×３ｍｍねじを介してねじ込まれる他の側に装備されてもよい。
【０２２７】
種々の例示的な実施形態において、２つのホースノズルが、収集装置の第１コンポーネントに接続され、及び／又は、８つのホースノズルが、収集装置の第２コンポーネントに接続されてもよい。
【０２２８】
種々の例示的な実施形態において、ミキサーが、混合チューブ内に位置決めされてもよく、及び／又は、ミキサーが、約５〜１０ｍｍの直径および約３５〜７０ｍｍの長さを有してもよい。
【０２２９】
種々の例示的な実施形態において、混合チューブは、Ｍ８ねじを用いて収集装置１８に接続してもよい。
【０２３０】
種々の例示的な実施形態において、スタティックミキサーまたはスタティックミキサーの混合チューブの長さは、可能な限り短く維持でき、そのためクリーニングプロセスが迅速に実行でき、美容トリートメント製品の基礎原料を形成する液体の消費は、クリーニングプロセス中に低く維持できる。
【０２３１】
種々の例示的な実施形態において、システムは、複数の蠕動ポンプを備えてもよく、これらは、例えば、約３００ｍｂａｒ（ミリバール）〜約７００ｍｂａｒの範囲、例えば、４００〜６００ｍｂａｒの範囲、例えば、約５００ｍｂａｒの単一の配給圧力を発生できる。
【０２３２】
種々の例示的な実施形態において、システムは、複数の蠕動ポンプを備えてもよく、複数の蠕動ポンプによって発生する全体排出圧力は、例えば、約７００ｍｂａｒ〜約１１００ｍｂａｒ、例えば、約８００ｍｂａｒ〜約１０００ｍｂａｒの範囲にある。
【０２３３】
種々の例示的な実施形態において、システムは、少なくとも、複数の蠕動ポンプを用いて混合装置の収集チャンバにおいて、７００ｍｂａｒ未満、例えば、５００ｍｂａｒ未満の動作圧力が設定できるように設定できる。換言すると、７００ｍｂａｒ未満、例えば、５００ｍｂａｒ未満の動作圧力が、ポンプによって搬送される複数の液体が出会うポイントにおいて達成できる。
【０２３４】
種々の例示的な実施形態において、例えば、ポンプの動作における動作圧力が、約最大３ｂａｒ（バール）、例えば、最大２ｂａｒにできるシステムが提供できる。
【０２３５】
種々の例示的な実施形態において、スタティックミキサーが設置でき、複数の液体が、スタティックミキサー内の予め定めた内部エレメントに沿って流れることによって、複数の蠕動ポンプ１０の動作圧力または流量に基づいて混合される。種々の例示的な実施形態において、スタティックミキサーでの液体の混合は、データベース３に保管された流量に基づいて実現できる。種々の例示的な実施形態において、個々の液体または液体混合物に適した流量は、モバイル装置２上のコンピュータアプリを用いて、データベース３から読み出し可能であり、コンピュータアプリを用いて、またはモバイル装置２を用いてシステム１に転送可能である。種々の例示的な実施形態において、データベース３から読み出されたデータは、複数の液体の各々についての混合比、および複数の蠕動ポンプ１０の対応する流量を有することができ、使用されるスタティックミキサーに対して較正できる。
【０２３６】
種々の例示的な実施形態において、複数の粘性液体の粘性は、混合装置１３内の混合の際に複数の蠕動ポンプによって搬送される場合、複数の粘性液体に動作圧力または剪断力を印加することによって低減できる。種々の例示的な実施形態において、混合される液体が混合装置１３を通過した後に、液体の粘性が再び増加することがある。換言すると、スタティックミキサーでの混合操作の際、混合前の粘性である液体、例えば、シャンプー、コンディショナー、ディープコンディショナーまたは染毛剤は、その粘性を低粘性液体に変化させることができる。混合プロセスがスタティックミキサーを用いて終了した後、低粘性液体は、静止段階で元の粘性状態に部分的または完全に回復できる。種々の例示的な実施形態において、混合装置１３が、複数の液体が低粘性で混合できるように設置できる。
【０２３７】
種々の例示的な実施形態において、混合プロセスが複数の液体の低粘性状態で実行可能になるシステム１が提供できる。種々の例示的な実施形態において、混合プロセスが簡略化された方法で実行可能になるシステム１が提供できる。種々の例示的な実施形態において、複数の粘性液体の混合プロセスがより経済的または効率的に実行可能になるシステム１が提供できる。種々の例示的な実施形態において、粘性液体の混合プロセスがより低い電力消費を有することが可能になるシステム１が提供できる。
【０２３８】
種々の例示的な実施形態において、美容院の美容師またはユーザが、センサ、例えば、赤外線センサ、カメラ、またはスマートフォンやタブレットに収容されたカメラを用いて、顧客の毛髪の状態、例えば、毛髪のダメージの程度及び／又は現在の髪色を決定できるシステム１が提供できる。決定された毛髪状態は、例えば、センサによってデータベースに送信でき、データベースは、ユーザ固有情報、例えば、顧客の姓、及び／又は顧客の現在の髪色、及び／又は顧客の元の天然髪色、及び／又は顧客の毛髪へのダメージの程度、及び／又は顧客の毛髪の状態に適した美容ヘアトリートメント剤、及び／又は顧客用に設計された美容ヘアトリートメント剤の調製のための混合比または組成のうちの少なくとも１つの項目を含み、保存でき、メモリから検索できる。
【０２３９】
種々の例示的な実施形態において、美容師またはユーザは、モバイル装置２、例えば、スマートフォンまたはタブレットなどにインストールされたコンピュータアプリを用いて、例えば、コンピュータアプリのユーザインタフェースを介して顧客のユーザ固有データを入力できる。コンピュータアプリは、データ伝送接続５、例えば、通信リンクを介してデータベース３に接続できる。モバイル装置２から受信した情報を用いて、顧客の個人ニーズに合わせて個別に調整される、美容トリートメント製品の生産のための液体の混合比が決定でき、あるいは、送信された顧客固有情報及び／又はデータベースに保存された情報に基づいて決定できる。理想的な混合比の決定は、例えば、データベースの計算ユニットによって実行できる。決定された理想的な混合比は、データ伝送接続などのデータ伝送接続５を用いてモバイル装置２に、及び／又は、データ伝送接続などの接続６を用いてシステム１に送信できる。
【０２４０】
データ伝送接続は、例えば、ＷＬＡＮ接続、Ｗｉ−Ｆｉ接続、またはブルートゥース接続でもよく、ここで言及したデータ伝送接続は、言及したデータ伝送接続に限定されず、データまたは情報の送信に適した他のデータ伝送接続（ネットワークプロトコル）が実現できる。
【０２４１】
モバイル装置２は、理想的な混合比に関する情報は、データ伝送接続４を介してシステム１に送信できる。さらに、モバイル装置２上のコンピュータアプリは、美容師によって追加情報、例えば、美容師が視覚的及び／又は触覚的に収集した毛髪の状態に関するデータを入力するために使用できる。電子機器８は、対応する情報を受信し、及び／又はそれをメモリに保存できる。個々の混合比に関して受信した情報を用いて、電子機器８は、リザーバ９に保存された液体をリザーバから輸送できるように、複数の蠕動ポンプを制御できる。システム１は、外部環境に対して封止できる。換言すると、外部からシステムに空気が入ることはなく、あるいは液体がシステム１のコンポーネントから意図せずに漏れることがない。リザーバ９からの液体は、接続部１６、例えば、可撓性ホースを介してポンプを用いて混合装置１３にポンプ送給できる。予め定めた流量に基づいて、ポンプ１０は、ホース、好ましくは本質的に同じ長さのホースを経由して混合装置１３に液体を搬送できる。ポンプは、例えば、生産すべき美容トリートメント製品またはミキサーの構成に応じて、データベース３から受信した流量で設定または動作できる。
【０２４２】
種々の例示的な実施形態において、混合装置１３は、混合ヘッド１８、混合チューブ２１、および混合チューブ内に位置決めされたミキサーを備えてもよい。液体は、ホースからの動作圧力により、ホースノズルを介して混合ヘッドに供給できる。混合ヘッドにおいて、液体は、ノズルを通過でき、及び／又はチャンバ２０、例えば、混合チャンバに供給できる。種々の例示的な実施形態において、図３ａに示すように、ある数の液体がノズルを通過でき、及び／又は少なくとも１つの液体がノズルを通過してチャンバ２０に供給できない。種々の例示的な実施形態において、いずれのノズルを介してチャンバ２０に供給できない液体が、美容トリートメント製品の基礎原料を形成する液体を含んでもよい。動作圧力を用いて、複数の液体は、混合チューブ２１およびミキサーを経由して搬送でき、これにより液体の混合は、ミキサーに装着された内部エレメント用いて実現できる。液体の混合物が、混合チューブ２２の出口２２で提供できる。粘性液体は、混合プロセス中に粘性が低くなり、混合プロセス後に再び粘性液体になることがある。液体が混合装置１３を通過した後、個々の液体混合物がターゲット容器１４の中に充填できる。液体混合物の２回の充填操作の間に、混合チューブ内のミキサーは、少なくとも１つの液体を用いて、例えば、美容トリートメント製品、例えば、シャンプーの基礎原料を形成する液体を用いて、リンス処理可能である。美容トリートメント剤の基礎原料を形成する液体が、例えば、ノズルなしで混合ヘッドを経由してチャンバ２０の中に供給できる。ミキサーを洗浄するためにクリーニング作業で使用される液体が、廃棄装置１５に収集できる。充填すべきまたは充填されたターゲット容器１４が、プリンタ１２によって生産されたステッカーで個別に印刷でき、あるいは、プリンタ１２は、少なくとも１つのターゲット容器１４に個別に印刷できる。
【０２４３】
図４は、種々の例示的な実施形態に係る、液体混合物を生成するためのフローチャート４００を概略的に示している。
【０２４４】
種々の例示的な実施形態において、方法４００は、予め定めたデータに少なくとも基づいて液体の混合比を決定することと、決定された混合比に基づいて、少なくとも１つのポンプ装置を用いてリザーバから混合装置に複数の液体を供給することと、スタティック混合装置を含む混合装置を用いて複数の液体を混合することとを含み、液体の粘性が混合の際に減少する。
【０２４５】
種々の例示的な実施形態において、手順の好都合な設計は、システムの説明から得られ、逆もまた同様である。種々の例示的な実施形態において、方法４００は、図１、図２、図３及び／又は図４に関して説明した特徴をさらに含んでもよい。
【０２４６】
本開示の種々の態様を以下に示す。
【０２４７】
例示的な実施形態１は、液体混合物を生成するためのシステムである。該システムは、
複数の粘性液体を保持するように設計された少なくとも複数のリザーバと、
複数のリザーバからの少なくとも２つの液体を混合するように設計された混合装置であって、スタティックミキサーを含む少なくとも１つの混合装置と、
リザーバからの液体を混合装置に配給するように設計された複数の蠕動ポンプと、
少なくとも１つのモバイル装置上のコンピュータアプリから少なくとも２つの液体の混合比に関するユーザ固有情報の少なくとも１つの項目を受信するように設計された電子システムと、を備え、
該システムは、複数の蠕動ポンプおよびスタティックミキサーを用いて、予め定めた混合比に従って少なくとも２つの液体を混合するように設計される。
【０２４８】
例示的な実施形態２において、例示的な実施形態１の対象物は、必要に応じて、少なくとも１つのリザーバと、個々に関連付けられたポンプとの間の液体の吸引距離を、予め定めた可能な最小範囲で含んでもよい。
【０２４９】
例示的な実施形態３において、例示的な実施形態１または２の対象物は、必要に応じて、約３０ｍｍ〜約９０ｍｍ、例えば、約３５〜７０ｍｍの範囲の長さを有するようにさらに設計されたスタティックミキサーを含んでもよい。
【０２５０】
例示的な実施形態４において、例示的な実施形態１〜３の対象物は、必要に応じて、混合装置が混合チューブを含むようにさらに設計され、混合チューブは、少なくとも４つの内部エレメントが互いに向かってオフセットされ、及び／又は、内部エレメントが互いに向かって１８０度捩れており、及び／又は、内部エレメントが前の内部エレメントに向かって９０度オフセットして位置決めされた、スタティックミキサーを受け入れるように設計されることを含んでもよい。
【０２５１】
例示的な実施形態５において、例示的な実施形態１〜４の対象物は、必要に応じて、混合装置が複数の層状非ニュートン液体を混合するようにさらに設計され、及び／又は、層状非ニュートン液体が、シャンプー、コンディショナー、ディープコンディショナーまたは染毛剤のうちの少なくとも１つ原料を含むことを含んでもよい。
【０２５２】
例示的な実施形態６において、例示的な実施形態１〜５の対象物は、必要に応じて、電子機器とモバイル装置との間の通信のための無線データ伝送接続を含んでもよい。
【０２５３】
例示的な実施形態７において、例示的な実施形態１〜６の対象物は、必要に応じて、情報が、美容ヘアトリートメント剤の個々の混合比に関する少なくとも１つの情報を含み、及び／又は、美容ヘアトリートメント剤に適した少なくとも１つの蠕動ポンプの配給量に関する情報を含み、及び／又は情報が外部データベースに保存されることを含んでもよい。
【０２５４】
例示的な実施形態８において、例示的な実施形態１〜７の対象物は、必要に応じて、システムが、データベース内の少なくとも１つの前回保存されたユーザ固有情報に基づいて液体の混合比を決定するようにさらに設計されることを含んでもよい。
【０２５５】
例示的な実施形態９において、例示的な実施形態１〜８の対象物は、必要に応じて、複数の蠕動ポンプは、等しい長さの流体ラインを用いて混合装置に接続されるようにさらに設計されることを含んでもよい。
【０２５６】
例示的な実施形態１０において、例示的な実施形態１〜９の対象物は、必要に応じて、混合装置は、クリーニング動作を実施するようにさらに設計され、クリーニング動作ではリザーバからの少量の液体がスタティックミキサーを洗浄することを含んでもよい。
【０２５７】
例示的な実施形態１１において、例示的な実施形態１〜１０の対象物は、必要に応じて、混合比の計算が、リモートサーバまたはクラウドで実行され、混合比に関するユーザ固有情報は、サーバまたはクラウドからコンピュータアプリに送信されることを含んでもよい。
【０２５８】
例示的な実施形態１２において、例示的な実施形態１〜１１の対象物は、必要に応じて、少なくとも１つのユーザ固有情報に基づいて、個々のヘアトリートメント製品が少なくとも１人の顧客について再注文できることを含んでもよい。
【０２５９】
例示的な実施形態１３は、液体混合物を生成するための方法である。この方法は、データベースに保存された少なくとも１つのユーザ固有情報に基づいて、複数の液体のうちの少なくとも２つの液体の個々の混合比の少なくとも１つの決定と、
決定された個々の混合比に基づいて、複数のポンプ装置を用いて複数の液体のうちの少なくとも２つの液体を複数のリザーバから混合装置に輸送することと、
複数のポンプ装置およびスタティックミキサーを用いて複数の液体を混合し、液体が、設定された予め定めた所定の混合比に従って混合されるようにすることとを含んでもよい。
【０２６０】
例示的な実施形態１４において、例示的な実施形態１３の対象物は、必要に応じて、モバイル装置上のコンピュータアプリを用いて、及び／又はモバイル装置とデータベース間のデータ伝送接続を用いて、混合のために使用される、個々の混合比に関する、及び／又は少なくとも１つのポンプの少なくとも１つの流量に関する情報は、データベースから受信することを含んでもよい。
【０２６１】
例示的な実施形態１５において、例示的な実施形態１３または１４の対象物は、必要に応じて、データベースに保存された少なくとも１つの前回決定されたユーザ固有情報に基づいて、個別の混合比の決定を含んでもよく、及び／又は、情報は、シャンプー、コンディショナー、ディープコンディショナーまたは染毛剤の組成に関する少なくとも１つの情報を含む。
【図１】
2020533117.tif 000003
【図２】
2020533117.tif 000004
【図３ａ】
2020533117.tif 000005
【図３ｂ】
2020533117.tif 000006
【図４】
2020533117.tif 000007
【国際調査報告】
2020533117.tif 000008
2020533117.tif 000009
2020533117.tif 000010
2020533117.tif 000011
2020533117.tif 000012
2020533117.tif 000013
2020533117.tif 000014
2020533117.tif 000015
2020533117.tif 000016
2020533117.tif 000017
2020533117.tif 000018